(57)【要約】【課題】ライトガイドの光ファイバ束の一端に効率良く光を入射することのできる光源装置を提供する。【解決手段】ＬＥＤ素子１０が複数のＬＥＤチップ１３とその複数のＬＥＤチップ１３を覆うように設けられて平面状の発光面１４ａを形成する被覆部材１４とから成るので、各ＬＥＤチップ１３からの光が発光面１４ａを介して被覆部材１４の外部に照射される際に、その光が各ＬＥＤチップ１３から所定の指向性特性をもって放射線状に進むことになる。また、ライトガイド３０の光ファイバ束３１の直径Ｄ２は４ｍｍ以上１２ｍｍ以下のものが実用上適しており、この直径Ｄ２の範囲において、ライトガイド３０の光ファイバ束３１の直径Ｄ２がボールレンズ２０の直径Ｄ１に対して０．６倍以上１倍以下の範囲であれば、照度の測定結果が良好となる。【選択図】図６
2011002542.tif 000002
【特許請求の範囲】
【請求項１】
平面状の発光面を有するＬＥＤ素子と、ＬＥＤ素子の発光面の臨む方向に設けられたボールレンズと、光ファイバ束を有するライトガイドとを備え、ＬＥＤ素子、ボールレンズ及びライトガイドの光ファイバ束の一端が順次一方向に並ぶように配置された光源装置であって、
前記ＬＥＤ素子が、互いに所定の平面上に並ぶように配置された複数のＬＥＤチップと、各ＬＥＤチップを覆うように設けられるとともに各ＬＥＤチップの並設方向に沿う前記平面状の発光面を形成する透光性の被覆部材とから成り、
ＬＥＤ素子の発光面とボールレンズとの距離が３ｍｍ以下であるとともに、
ライトガイドの光ファイバ束の一端とボールレンズとの距離が５ｍｍ以下であり、
ライトガイドの光ファイバ束の直径が４ｍｍ以上１２ｍｍ以下であるとともに、
ライトガイドの光ファイバ束の直径がボールレンズの直径に対して０．６倍以上１倍以下である
ことを特徴とする光源装置。
【請求項２】
前記各ＬＥＤチップの配置されている範囲の最大長さがボールレンズの直径に対して０．３６倍以下である
ことを特徴とする請求項１に記載の光源装置。
【請求項３】
前記ＬＥＤ素子の発光面とボールレンズとの隙間を覆う反射板を備えた
ことを特徴とする請求項１または２の何れかに記載の光源装置。
【請求項４】
前記ＬＥＤ素子の発光面とボールレンズとの距離を調整するための調整機構を備えた
ことを特徴とする請求項１、２または３の何れかに記載の光源装置。
【請求項５】
前記ＬＥＤ素子が取付けられてＬＥＤ素子を冷却するヒートシンクと、
ヒートシンクを覆うように設けられた箱状の光源装置本体と、
光源装置本体内に空気を流入させるファンとを備え、
ヒートシンクが、ＬＥＤ素子が取付けられる金属製の取付部と取付部内を挿通するとともに所定の方向に延びる複数のヒートパイプと、互いに間隔をおいて配置されるとともに各ヒートパイプが挿通している複数の放熱板とを有し、
光源装置本体の少なくとも１つの側壁に光源装置本体内の空気を排気するための排気部を設け、
ヒートシンクを、排気部が設けられた側壁に対して各放熱板が略直角に配置されるように設け、
各放熱板と排気部との隙間を覆う遮断部材を設けた
ことを特徴とする請求項１、２、３または４の何れかに記載の光源装置。
【発明の詳細な説明】
【技術分野】
【０００１】
本発明は、ＬＥＤの光をライトガイドを介して所定位置まで伝達する光源装置に関するものである。
【背景技術】
【０００２】
一般に、この種の光源装置としては、ＬＥＤ素子と、ＬＥＤ素子の光の照射方向に配置されたボールレンズと、光ファイバ束を有するライトガイドとを備え、ＬＥＤ素子、ボールレンズ及びライトガイドの光ファイバ束の一端が順次一方向に並ぶように配置されたものが知られている（例えば、特許文献１参照。）。
【先行技術文献】
【特許文献】
【０００３】
【特許文献１】特開２００２−２８６９７８号公報
【発明の概要】
【発明が解決しようとする課題】
【０００４】
ところで、前記光源装置では、砲弾型のＬＥＤ素子を使用しているのでＬＥＤ素子からの光がボールレンズ以外の部分に発散し易く、また、ボールレンズに様々な方向から光が入射されることになるので、ボールレンズを通過した光も様々な方向に向かい、ライトガイドの光ファイバ束の一端に効率良く光を入射させることができず、ライトガイドの光ファイバ束の他端まで伝達される光量を向上することができないという問題点があった。
【０００５】
本発明は前記問題点に鑑みてなされたものであり、その目的とするところは、ライトガイドの光ファイバ束の一端に効率良く光を入射することのできる光源装置を提供することにある。
【課題を解決するための手段】
【０００６】
本発明は前記目的を達成するために、平面状の発光面を有するＬＥＤ素子と、ＬＥＤ素子の発光面の臨む方向に設けられたボールレンズと、光ファイバ束を有するライトガイドとを備え、ＬＥＤ素子、ボールレンズ及びライトガイドの光ファイバ束の一端が順次一方向に並ぶように配置された光源装置であって、前記ＬＥＤ素子が、互いに所定の平面上に並ぶように配置された複数のＬＥＤチップと、各ＬＥＤチップを覆うように設けられるとともに各ＬＥＤチップの並設方向に沿う前記平面状の発光面を形成する透光性の被覆部材とから成り、ＬＥＤ素子の発光面とボールレンズとの距離が３ｍｍ以下であるとともに、ライトガイドの光ファイバ束の一端とボールレンズとの距離が５ｍｍ以下であり、ライトガイドの光ファイバ束の直径が４ｍｍ以上１２ｍｍ以下であるとともに、ライトガイドの光ファイバ束の直径がボールレンズの直径に対して０．６倍以上１倍以下である。
【０００７】
これにより、ＬＥＤ素子が、複数のＬＥＤチップと、各ＬＥＤチップを覆うように設けられるとともに各ＬＥＤチップの並設方向に沿う平面状の発光面を形成する透光性の被覆部材とから成るので、各ＬＥＤチップからの光が発光面を介して被覆部材の外部に照射される際に、各ＬＥＤチップからの光が所定の指向特性をもって放射線状に進むことになる。また、ライトガイドの光ファイバ束の直径が４ｍｍ以上であるとともに、ライトガイドの光ファイバ束の直径がボールレンズの直径に対して１倍以下であることから、ボールレンズの直径は４ｍｍ以上となる。ここで、ＬＥＤ素子の発光面とボールレンズとの距離が３ｍｍ以下であることから、ＬＥＤ素子の発光面の位置がボールレンズの焦点の近傍または焦点よりもボールレンズ側に配置される。このため、ＬＥＤチップからの放射線状の光がボールレンズを通過することにより平行光、わずかに収束しながら進む光、またはわずかに広がりながら進む光となる。また、ライトガイドの光ファイバ束の直径がボールレンズの直径に対して０．６倍以上１倍以下であることから、ボールレンズを通過した光がライトガイドの光ファイバ束の一端に効率良く入射される。
【発明の効果】
【０００８】
本発明によれば、ライトガイドの光ファイバ束の一端に効果良く光を入射させることができるので、ライトガイドの他端に伝達される光量を効果的に向上させる上で極めて有利である。
【図面の簡単な説明】
【０００９】
【図１】本発明の一実施形態を示す本体カバーを取外した状態の光源装置の側面断面図
【図２】本体カバーを取外した状態の光源装置の正面図
【図３】光源装置の側面図
【図４】光源装置の底面図
【図５】光源装置の側面図
【図６】光源装置の要部概略図
【図７】ＬＥＤ素子の正面図
【図８】照度の測定結果を示すグラフ
【図９】照度の測定結果を示すグラフ
【図１０】照度の測定結果を示すグラフ
【図１１】照度の測定結果を示すグラフ
【図１２】照度の測定結果を示すグラフ
【図１３】照度の測定結果を示すグラフ
【図１４】照度の測定結果を示すグラフ
【図１５】照度の測定結果を示すグラフ
【図１６】ＬＥＤチップの光の指向特性を示す図
【図１７】照度の測定結果を示すグラフ
【図１８】図２におけるＡ−Ａ線断面図
【図１９】本実施形態における変形例を示す光源装置の要部概略図
【図２０】ＬＥＤ素子の側面断面図
【図２１】ＬＥＤ素子の側面断面図
【発明を実施するための形態】
【００１０】
本発明の一実施形態を図１乃至図１８を参照しながら説明する。
【００１１】
この光源装置は、図１及び図６に示すように、平面状の発光面１４ａを有するＬＥＤ素子１０と、ＬＥＤ素子１０の発光面の臨む方向に設けられたボールレンズ２０と、周知のライトガイド３０と、ＬＥＤ素子１０が取付けられてＬＥＤ素子を冷却するヒートシンク４０と、本体基板５０と、ヒートシンク４０及び本体基板５０が取付けられるとともに上方及び側面が開口している本体ベース６０と、本体ベース６０の上方及び側面の開口部を閉鎖する本体カバー７０とを備えている。本体ベース６０及び本体カバー７０によって光源装置本体が形成されている。
【００１２】
ＬＥＤ素子１０は、図６及び図７に示すように、プラスチック等の絶縁材料から成る平板状の基板１１と、基板１１の前面に取付けられるとともにプラスチック等の絶縁材料から成る矩形板状の素子本体１２と、素子本体１２の一方の面に設けられた矩形の凹状部内に設けられた複数（本実施形態では６個）のＬＥＤチップ１３と、ＬＥＤ製造上周知の透光性樹脂から成り、前記凹状部内に充填されて各ＬＥＤチップ１３を覆う被覆部材１４とを有する。基板１１は六角形に形成され、各頂点にネジＳが挿通する切欠部１１ａが設けられている。各ＬＥＤチップ１３は互いに基板１１の板厚方向と直交する方向に並ぶように配置され、図７に示すように３個ずつ２列に並んでいる。各ＬＥＤチップ１３は略１ｍｍ×１ｍｍの正方形であり、３個ずつ２列に並べられた６個のＬＥＤチップ１３の配置されている範囲の対角線の長さＤＬは略３．６ｍｍである。ここで、対角線ＤＬの長さは６個のＬＥＤチップ１３が配置されている範囲の最大長さである。各ＬＥＤチップ１３は周知のｐｎ接合構造を有する。被覆部材１４は各ＬＥＤチップ１３を覆って保護するとともに、素子本体１２の一方の面と略等しい位置に平面状の発光面１４ａを形成している。発光面１４ａと各ＬＥＤチップ１３との距離は１ｍｍ以下である。
【００１３】
ボールレンズ２０はアクリル等の樹脂やガラスから成り、球形状を有する。
【００１４】
ライトガイド３０は、円柱状に束にされた複数の光ファイバから成る光ファイバ束３１と、その光ファイバ束３１を覆う外囲部材３２とを有する。
【００１５】
ヒートシンク４０は、厚さ方向一方の面にＬＥＤ素子１０が取付けられる金属製（例えば銅製）の板状の取付部４１と、取付部４１内をその板厚方向と直交する方向に挿通するとともに、その挿通した両側で取付部４１の板厚方向に延びる複数のヒートパイプ４２と、互いに取付部４１の板厚方向に間隔をおいて配置された複数の板状の放熱板４３と、放熱板４３を支持する取付金具４４とを有する。各放熱板４３は金属製（例えばアルミニウムやステンレス製）であり、各ヒートパイプ４２は各放熱板４３を挿通している。取付部４１にはＬＥＤ素子１０が複数のネジＳによって取付けられ、ＬＥＤ素子１０の基板１１の背面が取付部４１の表面に押付けられるようになっている。各ヒートパイプ４２は中空状に形成され、内部に水、フロン、二酸化炭素等の冷媒が封入され、冷媒によって取付部４１と各放熱板４３との間の熱交換が効率的に行われるようになっている。
【００１６】
本体基板５０は交流電流を直流電流に整流してＬＥＤ素子１０に供給する役割等を担う。
【００１７】
本体ベース６０は金属製の板を曲げ加工することにより形成され、底面部６１と、底面部６１の前端から上方に延びるように設けられた前面部６２と、底面部６１の後端から上方に延びるように設けられた背面部６３と、底面部６１の下面に取付けられた複数の脚部材６４とを有する。
【００１８】
底面部６１には複数の長孔６１ａが設けられ、各長孔６１ａは本体ベース６０の前後方向に延びるように形成されている。一方、ヒートシンク４０の取付金具４４の一部が底面部６１に沿うように形成されており、その取付金具４４の一部に複数のネジ孔（図示せず）が設けられている。また、前記各ネジ孔は各長孔６１ａに対応する位置に設けられている。底面部６１の各長孔６１ａに下方から複数のネジＳを挿通するとともに、各ネジＳを前記各ネジ孔に螺合することにより、ヒートシンク４０が底面部６１に取付けられている。
【００１９】
前面部６２の略中央部には本体ベース６０の前後方向に貫通する孔６２ａが設けられ、孔６２ａにはホルダー６２ｂが取付けられている。ホルダー６２ｂは本体ベース６０の前後方向に延びる円筒形状を有し、複数のネジＳによって前面部６２に固定されている。ホルダー６２ｂ内における本体ベース前後方向の後側にはボールレンズ２０がネジＳによって固定され、ホルダー６２ｂ内における前側にはライトガイド３０の一端が固定ネジ６２ｃによって固定されている。前面部６２にはメインスイッチ６２ｄ及びボリュームつまみ６２ｅも設けられている。一方、取付部４１には円筒状部材４１ａが図示しないネジ等によって固定され、円筒状部材４１ａは本体ベース６０の前後方向に延びるように形成されている。円筒状部材４１ａはホルダー６２ｂにおける本体ベース前後方向の後側の外径よりもわずかに大きい内径を有し、円筒状部材４１ａの内側にホルダー６２ｂの後側が配置されている。また、円筒状部材４１ａはホルダー６２ｂに対して本体ベース６０の前後方向に移動可能である。
【００２０】
背面部６３の上側には本体ベース６０の前後方向に貫通する矩形孔６３ａが設けられ、矩形孔６３ａの後方にはファン６５が取付けられている。また、矩形孔６３ａの前方には本体基板５０が配置され、本体基板５０は取付金具５１を介して底部材６１に取付けられている。
【００２１】
本体カバー７０は金属製の板を曲げ加工することにより形成され、上面部７１と、上面部７１の幅方向一方から下方に延びるように設けられた一方の側面部７２と、上面部７１の幅方向他方から下方に延びるように設けられた他方の側面部７３とを有する。各側面部７２，７３には複数の貫通孔７０ａが設けられ、また、本体ベース６０にも対応する複数のネジ孔６０ａが設けられ、各貫通孔７０ａを挿通した複数のネジＳが各ネジ孔６０ａに螺合することにより、本体カバー７０が本体ベース６０に取付けられるようになっている。また、図５に示すように、他方の側面部７３には複数の貫通孔から成る排気部７３ａが設けられ、排気部７３ａはヒートシンク４０の各放熱板４３に対応する位置に配置されている。
【００２２】
以上のように構成された光源装置は、ＬＥＤ素子１０の各ＬＥＤチップ１３から照射された光がボールレンズ２０を通過してライトガイド３０の光ファイバ束３１の一端に入射される。
【００２３】
ここで、図６及び図８乃至図１５に示すように、ＬＥＤ素子１０の発光面１４ａとボールレンズ２０との距離Ｌ１、ボールレンズ２０と光ファイバ束３１の一端との距離Ｌ２、ボールレンズ２０の直径Ｄ１、光ファイバ束３１の直径Ｄ２を様々に変更するとともに、ライトガイド３０の光ファイバ束３１の他端から５０ｍｍ離れた位置で測定した照度を比較し、距離Ｌ１、距離Ｌ２、直径Ｄ１及び直径Ｄ２と照度との関係を調査した。尚、ＬＥＤチップ１３は前述のように３個ずつ２列に並べられている。また、各ＬＥＤチップ１３の光の指向特性は例えば図１６に示すようになる。
【００２４】
また、図８乃至図１１では、光ファイバ束３１の直径Ｄ２を６ｍｍ、８ｍｍ及び１０ｍｍに設定するとともに、ボールレンズ２０の直径Ｄ１を１０．５ｍｍ、１２．５ｍｍ及び１５ｍｍに設定し、また、ボールレンズ２０と光ファイバ束３１の一端とを当接させて距離Ｌ２を０ｍｍに設定している。図８では発光面１４ａとボールレンズ２０とを当接させて距離Ｌ１を０ｍｍに設定し、図９では発光面１４ａとボールレンズ２０との距離Ｌ１を１ｍｍに設定し、図１０では発光面１４ａとボールレンズ２０との距離Ｌ１を２ｍｍに設定し、図１１では発光面１４ａとボールレンズ２０との距離Ｌ１を３ｍｍに設定している。また、図１２乃至図１５は図８乃至図１１の結果から導き出されたもので、横軸を光ファイバ束３１の直径Ｄ２／ボールレンズ２０の直径Ｄ１とし、図８乃至図１１の結果を書き直したものである。図８乃至図１５の中の破線は測定結果及び経験から測定範囲外の結果を推定したものである。
【００２５】
図１２乃至図１５より、光ファイバ束３１の直径Ｄ２／ボールレンズ２０の直径Ｄ１が０．６倍以上１倍以下の範囲であれば、測定結果が１７万ルクス以上となった。ここで、従来の光源装置では、ライトガイドの光ファイバ束の他端から５０ｍｍ離れた位置で測定した照度は９万ルクス程度であった。これに対して本実施形態のＤ２／Ｄ１が０．６倍以上１倍以下の範囲内は照度が２倍以上となっていることから、Ｄ２／Ｄ１が０．６倍以上１倍以下となる範囲が効果的に照度を向上できる範囲であると判断される。
【００２６】
また、直径Ｄ２が４ｍｍ以上１２ｍｍ以下の光ファイバ束３１が実用上適していると判断されるが、図８乃至図１１の何れの結果においても、直径Ｄ２が４ｍｍの場合の照度の推定値が従来の光源装置（９万ルクス）と同等かそれ以上であり、且つ、光ファイバ束３１の直径が小さい範囲においてはボールレンズ２０の直径Ｄ１が小さい方が照度の測定結果が上昇する傾向がある。即ち、光ファイバ束３１の直径が４ｍｍの場合に、Ｄ２／Ｄ１が０．６倍以上１倍以下となるボールレンズ２０の直径Ｄ１は４ｍｍ以上６．６７ｍｍ以下となるが、この場合でも照度の推定値が従来の光源装置（９万ルクス）と同等かそれ以上になると推定される。
【００２７】
尚、図８乃至図１５の測定では、ボールレンズ２０と光ファイバ束３１の一端とを当接させて距離Ｌ２を０ｍｍに設定しているが、距離Ｌ２を５ｍｍまで変更しても、照度の測定結果の低下は１０％程度であったため、距離Ｌ２が０ｍｍ以上５ｍｍ以下であれば前述と同様の作用効果を達成可能である。
【００２８】
このように、本実施形態によれば、ＬＥＤ素子１０が複数のＬＥＤチップ１３とその複数のＬＥＤチップ１３を覆うように設けられて平面状の発光面１４ａを形成する被覆部材１４とから成るので、各ＬＥＤチップ１３からの光が発光面１４ａを介して被覆部材１４の外部に照射される際に、その光が各ＬＥＤチップ１３から所定の指向性特性をもって放射線状に進むことになる。また、ライトガイド３０の光ファイバ束３１の直径Ｄ２は４ｍｍ以上１２ｍｍ以下のものが実用上適していると判断され、この直径Ｄ２の範囲において、ライトガイド３０の光ファイバ束３１の直径Ｄ２がボールレンズ２０の直径Ｄ１に対して０．６倍以上１倍以下の範囲であれば、照度の測定結果が良好となる。また、光ファイバ束３１の直径Ｄ２は４ｍｍ以上１２ｍｍ以下の場合、この範囲におけるボールレンズ２０の直径Ｄ１の最小値は４ｍｍとなり、最大値は２０ｍｍとなる。一方、ＬＥＤ素子１０の発光面１４とボールレンズ２０との距離が３ｍｍ以下である。このため、ＬＥＤ素子１０の発光面１４ａの位置がボールレンズ２０の焦点の近傍または焦点よりもボールレンズ２０側に配置される。このため、各ＬＥＤチップ１３からの放射線状の光がボールレンズ２０を通過することにより平行光、わずかに収束しながら進む光、またはわずかに広がりながら進む光となる。また、ライトガイド３０の光ファイバ束３１の直径Ｄ２がボールレンズ２０の直径Ｄ１に対して０．６倍以上１倍以下であることから、ボールレンズ２０を通過した光がライトガイド３０の光ファイバ束３１の一端に効率良く入射される。即ち、ライトガイド３０の他端から照射される光の照度を効果的に向上させることができる。
【００２９】
また、本実施形態では、複数のＬＥＤチップ１３が互いに所定の平面上（基板１１の板厚方向と直交する方向）に並ぶように配置され、各ＬＥＤチップ１３からの光がそれぞれボールレンズ２０に照射されるようになっているので、ＬＥＤ素子１０に単一のＬＥＤチップ１３のみを設け、その単一のＬＥＤチップ１３の光を用いる場合と比較し、ライトガイド３０の他端から照射される光の照度を大幅に向上することができる。尚、単一のＬＥＤチップ１３の光量を向上することも考えられるが、単一のＬＥＤチップ１３の光量には限界があることから、本実施形態のように複数のＬＥＤチップ１３の光を用いる構成は極めて有利である。
【００３０】
また、本実施形態では、ＬＥＤ素子１０が６個のＬＥＤチップ１３を有し、６個のＬＥＤチップ１３の配置されている範囲の最大長さＤＬが３．６ｍｍである。これに対し、１個ずつ２列に並べた２個のＬＥＤチップ１３を有するＬＥＤ素子、２個ずつ２列に並べた４個のＬＥＤチップ１３を有するＬＥＤ素子、４個ずつ２列に並べた８個のＬＥＤチップ１３を有するＬＥＤ素子、及び５個ずつ２列に並べた１０個のＬＥＤチップ１３を有するＬＥＤ素子を使用し、ＬＥＤチップ１３が配置されている範囲の最大長さ（対角線の長さＤＬ）と照度の測定結果との関係を調査した（図１７参照）。照度の測定は図８乃至図１５と同じ方法で行い、光ファイバ束の直径は１０ｍｍとし、発光面１４ａとボールレンズ２０との距離は０ｍｍとした。
【００３１】
図１７より、ＬＥＤチップ１３が配置されている範囲の最大長さＤＬがボールレンズ２０の直径に対して０．３６倍以下であれば、最大長さＤＬと照度の測定結果とが比例しており、この範囲であれば複数のＬＥＤチップ１３からの光を効率良く利用することができる。
【００３２】
また、図８乃至図１５に示すように、Ｄ２／Ｄ１が０．６倍以上１倍以下であり、光ファイバ束３１の直径が６ｍｍ以上であれば、ライトガイド３０の他端から照射される光の照度を従来の光源装置に比べて大幅に向上させることが可能となる。
【００３３】
また、ＬＥＤ素子１０はヒートシンク４０の取付部４１に取付けられ、本体ベース６０に対するヒートシンク４０の前後方向の位置は各長孔６１ａを設けることによって調整可能であり、円筒状部材４１ａがヒートシンク４０の取付部４１に取付けられ、円筒状部材４１ａの内側にホルダー６２ｂの後側が配置され、円筒状部材４１ａはホルダー６２ｂに対して本体ベース６０の前後方向に移動可能であることから、ＬＥＤ素子１０の発光面１４ａとボールレンズ２０との距離Ｌ１を容易に調整可能であり、ライトガイド３０の他端から照射される光の照度を効果的に向上させる上で極めて有利である。
【００３４】
また、ＬＥＤ素子１０が取付けられてＬＥＤ素子１０を冷却するヒートシンク４０と、ヒートシンク４０を覆うように設けられた本体ベース６０及び本体カバー７０とから成る箱状の光源装置本体と、光源装置本体内に空気を流入させるファン６５とを備え、光源装置本体の本体カバー７０の他方の側面部７３に光源装置本体内の空気を排気するための排気部７３ａが設けられ、ヒートシンク４０の各放熱板４３が他方の側面部７３に対して略直角に配置されている。ここで、各放熱板と排気部との間に遮断部材７４が設けられ、遮断部材７４は各放熱板４３と排気部７３ａとの隙間を覆うように設けられている（図１８参照）。図１８は図２におけるＡ−Ａ線断面図である。遮断部材７４は取付金具４４に固定され、光源装置本体の幅方向（図１８における紙面に垂直な方向）に延びるとともに各放熱板４３と排気部７３ａとの隙間を覆う遮断壁７４ａを有する。また、取付金具４４における遮断壁７４ａの内側の範囲には光源装置本体の幅方向に貫通する矩形状の孔が設けられている。さらに、遮断壁７４ａと他方の側面部７３とは当接または３ｍｍ以下の距離で近接している。尚、遮断壁７４ａと他方の側面部７３との距離は近ければ近いほど良い。このため、ファン６５から光源装置本体内に流入した空気が各放熱板４３の間を通過せずに排気部７３から外部に放出されることが極力防止され、各放熱板４３の間を空気が効率良く通過するようになる。即ち、各放熱板４３を効率良く冷却することができることにより、ＬＥＤ素子１０を効率良く冷却することができ、高輝度ＬＥＤを用いて照度を向上する上で極めて有利である。
【００３５】
尚、図１９に示すように、ＬＥＤ素子１０の発光面１４ａとボールレンズ２０との隙間を覆う反射板１５を設けることも可能である。反射板１５は、ＬＥＤ素子１０の大きさやボールレンズ２０の直径Ｄ１に応じて、軸方向の何れかに向かって徐々に内径が大きくなる円筒状か内径が変化しない円筒状に形成される。これにより、ＬＥＤ素子１０の各ＬＥＤチップ１３からボールレンズ２０に直接照射される光とともに、ボールレンズ２０に直接照射されない光もボールレンズ２０に導くことができ、ライトガイド３０の他端から照射される光の照度を効果的に向上させる上で極めて有利である。
【００３６】
尚、本実施形態では、図６に示すように、発光面１４ａが平面であるものを示した。これに対し、例えば図２０に示すように発光面１４ａが少し凸状に形成されている場合でも、図２１に示すように発光面１４ａが少し凹状に形成されている場合でも、発光面１４ａを積極的に凸状または凹状に形成したものではなく、また、発光面１４ａと各ＬＥＤチップ１３との距離が１ｍｍ以下であれば、発光面１４ａは平面状であると言え、前述と同様の作用効果を達成可能である。
【００３７】
尚、本実施形態では、ＬＥＤ素子１０に複数のＬＥＤチップ１３を設けたものを示した。これに対し、ＬＥＤ素子１０に単一のＬＥＤチップ１３が設けられている場合でも、光ファイバ束３１の直径Ｄ２／ボールレンズ２０の直径Ｄ１が０．６倍以上１倍以下の範囲であれば、前述と同様にライトガイド３０の他端から照射される光の照度を効果的に向上させることができる。
【符号の説明】
【００３８】
１０…ＬＥＤ素子、１１…基板、１２…素子本体、１３…ＬＥＤチップ、１４…被覆部材、１４ａ…発光面、１５…反射板、２０…ボールレンズ、３０…ライトガイド、３１…光ファイバ束、３２…外囲部材、４０…ヒートシンク、４１…取付部、４１ａ…円筒状部材、４２…ヒートパイプ、４３…放熱板、４４…取付金具、５０…本体基板、５１…取付金具、６０…本体ベース、６０ａ…長孔、６１…底面部、６２…前面部、６３…背面部、６５…ファン、７０…本体カバー、７１…上面部、７２…一方の側面部、７３…他方の側面部、７３ａ…排気部、７４…遮断部材、Ｓ…ネジ。
【図１】
2011002542.tif 000003
【図２】
2011002542.tif 000004
【図３】
2011002542.tif 000005
【図４】
2011002542.tif 000006
【図５】
2011002542.tif 000007
【図６】
2011002542.tif 000008
【図７】
2011002542.tif 000009
【図８】
2011002542.tif 000010
【図９】
2011002542.tif 000011
【図１０】
2011002542.tif 000012
【図１１】
2011002542.tif 000013
【図１２】
2011002542.tif 000014
【図１３】
2011002542.tif 000015
【図１４】
2011002542.tif 000016
【図１５】
2011002542.tif 000017
【図１６】
2011002542.tif 000018
【図１７】
2011002542.tif 000019
【図１８】
2011002542.tif 000020
【図１９】
2011002542.tif 000021
【図２０】
2011002542.tif 000022
【図２１】
2011002542.tif 000023